(57)【要約】【課題】衣類乾燥速度の早い空気調和機を提供する。【解決手段】居住内の人を検知する人感センサと、熱交換器で熱交換された空気を吹き出す吹出口と、前記吹出口からの空気の吹出し方向を上下および左右に変更する風向変更手段を備え、再熱除湿運転である衣類乾燥モード運転を行う場合、前記人感センサにより湿った衣類の場所を検知し、その検知した場所に、吹出し風が向くように前記風向変更手段を制御するもので、吹出し風が、湿った衣類に集中的にあたるので、衣類の乾燥時間を大幅に短縮することができる。【選択図】なし【特許請求の範囲】
【請求項１】
居住内の人を検知する人感センサと、熱交換器で熱交換された空気を吹き出す吹出口と、前記吹出口からの空気の吹出し方向を上下および左右に変更する風向変更手段を備え、再熱除湿運転である衣類乾燥モード運転を行う場合、前記人感センサにより湿った衣類の場所を検知し、その検知した場所に、吹出し風が向くように前記風向変更手段を制御することを特徴とする空気調和機。
【請求項２】
居住内の人を検知する人感センサと、熱交換器で熱交換された空気を吹き出す吹出口と、前記吹出口からの空気の吹出し方向を上下および左右に変更する風向変更手段と、運転中に静電ミストを発生させる静電霧化装置を備え、再熱除湿運転である衣類乾燥モード運転を行う場合、前記人感センサにより湿った衣類の場所を検知し、その検知した場所に向けて、前記静電霧化装置で発生させた静電ミストが直接放出されるように、前記風向変更手段を制御することを特徴とする空気調和機。
【発明の詳細な説明】
【技術分野】
【０００１】
本発明は、空気調和機に関するもので、特に、衣類乾燥が可能な再熱除湿運転機能を有する空気調和機に関するものである。
【背景技術】
【０００２】
従来のこの種の空気調和機として、静電ミストを発生させる静電霧化装置を備え、衣類乾燥を目的とした再熱除湿運転があり、通常冷房、暖房運転時には居住内の人を検知し人の有無や活動量に応じた風向や風量制御したものがある。また、静電ミストを発生させる静電霧化装置は、例えば湿っている洗濯物の臭いを抑える効果もある。
【０００３】
しかしながら、衣類乾燥を目的とする再熱除湿運転時に静電ミストを発生させても、特に臭いの出る湿った衣類を狙うわけではなく、部屋全体に静電ミストを行き渡らせようとするため、湿った洗濯物の臭いを低減する効果が薄いものとなっていた。
【０００４】
また、室内機の送風路に静電霧化装置を設け、静電霧化装置により発生した粒子径がナノメートルサイズの静電ミストを空気とともに室内に吹き出すことで、室内空気に含まれる臭気成分や、カーテンや壁等に付着した臭気成分を低減するようにした空気調和機も提案されている（例えば、特許文献１乃至３を参照。）。
【先行技術文献】
【特許文献】
【０００５】
【特許文献１】特開２００５−２８２８７３号公報
【特許文献２】特開２００６−２３４２４５号公報
【特許文献３】特開２００９−１６８４２５号公報
【発明の概要】
【発明が解決しようとする課題】
【０００６】
ところで、空気調和機が再熱除湿である衣類乾燥モード運転を行うと、部屋全体に風を行き渡らせようと、上下羽根、左右羽根の風向をまんべんなくスイングするため、湿った衣類に直接風があたる時間が少なくなる。また、静電ミストも同時に部屋全体に行き渡らせようと上下羽根、左右羽根の風向をまんべんなくスイングするため、湿った衣類に静電ミストが直接当たる時間も少なくなるため、静電ミストによる臭いを除去する効果も薄いものとなっていた。
【０００７】
したがって従来の空気調和機の構成では、湿った衣類の乾燥速度が遅く、衣類の臭いを低減する効果が薄い、という課題があった。
【０００８】
本発明は、上記従来の課題を解決するもので、湿った衣類を乾燥させる機能である再熱除湿運転の衣類乾燥モード運転時の衣類乾燥速度を向上させ、湿った衣類の臭いを低減する効果を向上させることのできる空気調和機を提供することを目的としている。
【課題を解決するための手段】
【０００９】
上記従来の課題を解決するために、本発明の空気調和機は、居住内の人を検知する人感センサと、熱交換器で熱交換された空気を吹き出す吹出口と、前記吹出口からの空気の吹出し方向を上下および左右に変更する風向変更手段を備え、再熱除湿運転である衣類乾燥モード運転を行う場合、前記人感センサにより湿った衣類の場所を検知し、その検知した場所に、吹出し風が向くように前記風向変更手段を制御するもので、吹出し風が、湿った
衣類に集中的にあたるので、衣類の乾燥時間を大幅に短縮することができる。
【００１０】
また、本発明の空気調和機は、居住内の人を検知する人感センサと、熱交換器で熱交換された空気を吹き出す吹出口と、前記吹出口からの空気の吹出し方向を上下および左右に変更する風向変更手段と、運転中に静電ミストを発生させる静電霧化装置を備え、再熱除湿運転である衣類乾燥モード運転を行う場合、前記人感センサにより湿った衣類の場所を検知し、その検知した場所に向けて、前記静電霧化装置で発生させた静電ミストが直接放出されるように、前記風向変更手段を制御するもので、静電ミストが、湿った衣類に集中的にあたるので、衣類の臭いをすばやく、かつ効率よく除くことができる。
【発明の効果】
【００１１】
本発明の空気調和機は、湿った衣類を乾燥させる再熱除湿の衣類乾燥モード運転を行う場合、人感センサにより湿った衣類の場所を検知し、その場所に向け風向を変更し、静電ミストを含んだ風をあてることにより衣類の乾燥時間を短縮でき、衣類の臭いの低減効果を向上させることができる。
【発明を実施するための形態】
【００１２】
第１の発明は、居住内の人を検知する人感センサと、熱交換器で熱交換された空気を吹き出す吹出口と、前記吹出口からの空気の吹出し方向を上下および左右に変更する風向変更手段を備え、再熱除湿運転である衣類乾燥モード運転を行う場合、前記人感センサにより湿った衣類の場所を検知し、その検知した場所に、吹出し風が向くように前記風向変更手段を制御するもので、吹出し風が、湿った衣類に集中的にあたるので、衣類の乾燥時間を大幅に短縮することができる。
【００１３】
第２の発明は、居住内の人を検知する人感センサと、熱交換器で熱交換された空気を吹き出す吹出口と、前記吹出口からの空気の吹出し方向を上下および左右に変更する風向変更手段と、運転中に静電ミストを発生させる静電霧化装置を備え、再熱除湿運転である衣類乾燥モード運転を行う場合、前記人感センサにより湿った衣類の場所を検知し、その検知した場所に向けて、前記静電霧化装置で発生させた静電ミストが直接放出されるように、前記風向変更手段を制御するもので、静電ミストが、湿った衣類に集中的にあたるので、衣類の臭いをすばやく、かつ効率よく除くことができる。
【００１４】
（実施の形態１）
以下、本発明の実施の形態における空気調和機について説明する。
【００１５】
本実施の形態における空気調和機は、通常冷媒配管で互いに接続された室外機と室内機とで構成されている。そして、室内機の内部には、空気中に含まれる塵埃を除去するためのプレフィルタと、このプレフィルタの下流側に設けられた室内空気と熱交換するための熱交換器と、熱交換器で熱交換された空気を搬送するための室内ファンと、室内ファンから送出された空気を室内に吹き出す吹出口を開閉するとともに空気の吹き出し方向を上下に変更する上下羽根と、空気の吹き出し方向を左右に変更する左右羽根とを備えている。以上のように、本実施の形態では、前記上下羽根と、左右羽根とで、風向変更手段を構成している。
【００１６】
また、室内機の一方の端部（室内機正面から見て左側端部または右側端部）には、静電ミストを発生させて室内空気を浄化するための従来公知である静電霧化装置が設けられている。
【００１７】
また、室内機正面には、人の動きを検知できる人感センサが設けられており、周りの温度と人の温度差を利用し、活動量を検知することにより、例えば暖房運転の際は、人に向
け暖気を送風することにより快適性と省エネルギ性を両立させることができる。
【００１８】
また、再熱除湿運転において、特に部屋の中に置かれた洗濯物を乾燥する目的で使われる衣類乾燥モードがある。前記人感センサは周りの温度よりも低い温度である、湿った衣類を検知することも可能であるので、衣類乾燥モードの際に、人感センサを動作させ、湿った洗濯物に直接風をあてるよう上下羽根、左右羽根により風向を制御することにより、衣類乾燥時間を短縮することが可能である。
【００１９】
また、再熱除湿の衣類乾燥モードで人感センサを用いて上下羽根、左右羽根により風向制御する際、同時に静電霧化装置を動作させることにより、静電ミストを集中的に湿った衣類にあてることが可能であり、静電ミストの特徴の一つである衣類の臭いを分解・脱臭する効果を高めることが可能である。
【００２０】
なお、上記実施の形態によって本発明が限定されるものではない。
【産業上の利用可能性】
【００２１】
本発明に係る空気調和機は、人感センサと再熱除湿と静電霧化装置の運転で発生する静電ミストの臭いの分解・脱臭作用を利用することで、部屋の中に置かれた洗濯物などの湿った衣類を乾燥する際の脱臭効果を高めることができるので、一般家庭用の空気調和機を含む様々な空気調和機として極めて有用である。